(57)【特許請求の範囲】
【請求項１】
連続して測定するのが困難な形状を有する測定対象の真円度の公差を検出する際に、
測定が可能な部分円周毎に一定な半径方向の測定基準位置Ｒｎと、検出ヘッドで検出されるスタイラスの変位量ｘ（ｉ）nの合計からなる測定データを、部分円周毎に測定して部分測定データとし、
各部分測定データの測定基準位置Ｒｎ間の差分を調整して、各部分測定データを一つのデータに結合し、
該結合したデータを用いて公差を計算することを特徴とする真円度測定機の公差検出方法。
【請求項２】
各部分測定データが結合部で一致するよう、各部分測定データの測定基準位置Ｒｎ間の差分を調整して、各部分測定データを結合することを特徴とする真円度測定機の公差検出方法。
【請求項３】
各部分測定データが結合部で連続するよう、各部分測定データの測定基準位置Ｒｎ間の差分を調整して、各部分測定データを結合することを特徴とする真円度測定機の公差検出方法。
【請求項４】
各部分測定データの平均値が一致するよう、各部分測定データの測定基準位置Ｒｎ間の差分を調整して、各部分測定データを結合することを特徴とする真円度測定機の公差検出方法。
【請求項５】
連続して測定するのが困難な形状を有する測定対象の真円度の公差を検出するための真円度測定機の公差検出装置であって、
測定が可能な部分円周毎に一定な半径方向の測定基準位置Ｒｎと、検出ヘッドで検出されるスタイラスの変位量ｘ（ｉ）nの合計からなる測定データを、部分円周毎に測定して部分測定データとする手段と、
各部分測定データの測定基準位置Ｒｎ間の差分を調整して、各部分測定データを一つのデータに結合する手段と、
該結合したデータを用いて公差を計算する手段と、
を備えたことを特徴とする真円度測定機の公差検出装置。
【発明の詳細な説明】
【技術分野】
【０００１】
本発明は、真円度測定機の公差検出方法及び装置に係り、特に、分割して測定して求めるしかなかった、連続して測定するのが困難な形状を有する測定対象の真円度の公差を、１回の計算で容易に検出することが可能な真円度測定機の公差検出方法及び装置に関する。
【背景技術】
【０００２】
円柱、円筒などの回転体状の測定対象について、真円度、同心度あるいは同軸度などの真円度に関する各種データを採取するための真円度測定機が知られている。この真円度測定機においては、回転テーブル上に測定対象を載置し、測定対象の表面形状を検出ヘッドなどで検出しつつ、回転テーブルを回転させることで、測定対象の表面形状データを集積し、真円度などを測定・算出している（特許文献１）。
【０００３】
即ち、検出ヘッドに取付けられている、先端に例えば球状の測定子を備えたスタイラスを、回転テーブルの半径方向（Ｒ軸方向と称する）に付勢して、測定対象の表面に接触させ、スタイラスの変位量をリニアエンコーダで検出すると共に、回転テーブルの回転角度をロータリエンコーダにより検出し、この２つの検出値をペアにして検出データとして、測定対象を一回転させる間に該検出データを収集することで、全周の形状を測定することができる。更に、収集した検出データを元に最小自乗法、最小領域法などにより厳密な平均円を求め、これを元に真円度などを計算することができる。
【０００４】
しかしながら、図１に例示する如く、キー溝やセレーションなどの突起部２４ａや切り欠き部により、連続して測定するのが困難な形状を有する測定対象２４の場合、倣い測定機能を有しない真円度測定機では、検出器に与える物理的影響を考慮して、測定（１）〜（４）のように、４つの部分的な円周に分割して測定せざるを得ず、個別の部分円周に対しての幾何公差しか求めることができなかった。即ち、変位を検出する検出器は、先端にスタイラスを備えているが、このスタイラスはあくまでもＲ軸方向のみしか動かず、変位を検出する方向もＲ軸方向のみである。従って、もしも突起があると、スタイラスが突起を乗り越えることが出来ず、検出器を破損する恐れがある。また、溝があると、その溝にスタイラスが入り込み、そこから這い出すことができず、やはり破損するおそれがある。
【０００５】
従って、全体形状の幾何公差を求める際には、各部分円周毎に幾何公差を求め、それらの最大値、最小値から全体形状の幾何公差を推定するしかなかった。
【０００６】
一方、特許文献２には、切欠部を有する断面形状の真円度を測定する際に、測定対象外の凹部の底部データや凸部の頂部データを削除し、残りの測定データに基づいて真円度を算出することが記載されている。
【先行技術文献】
【特許文献】
【０００７】
【特許文献１】特許第２７０１１４１号公報
【特許文献２】特開平６−１１３３６号公報
【発明の概要】
【発明が解決しようとする課題】
【０００８】
しかしながら、全体形状が連続して測定可能な測定対象を前提としており、分割して測定して求めるしかない、連続して測定するのが困難な形状を有する測定対象には適用できないという問題点を有していた。
【０００９】
本発明は、前記従来の問題点を解決するべくなされたもので、分割して測定して求めるしかなかった、連続して測定するのが困難な形状を有する測定対象の真円度の公差を、１回の計算で容易に検出可能とすることを課題とする。
【課題を解決するための手段】
【００１０】
本発明は、連続して測定するのが困難な形状を有する測定対象の真円度の公差を検出する際に、測定が可能な部分円周毎に一定な半径方向の測定基準位置Ｒｎと、検出ヘッドで検出されるスタイラスの変位量ｘ（ｉ）nの合計からなる測定データを、部分円周毎に測定して部分測定データとし、各部分測定データの測定基準位置Ｒｎ間の差分を調整して、各部分測定データを一つのデータに結合し、該結合したデータを用いて公差を計算するようにして、前記課題を解決したものである。
【００１１】
又、各部分測定データが結合部で一致するよう、各部分測定データの測定基準位置Ｒｎ間の差分を調整して、各部分測定データを結合するようにしたものである。
【００１２】
又、各部分測定データが結合部で連続するよう、各部分測定データの測定基準位置Ｒｎ間の差分を調整して、各部分測定データを結合するようにしたものである。
【００１３】
更に、各部分測定データの平均値が一致するよう、各部分測定データの測定基準位置Ｒｎ間の差分を調整して、各部分測定データを結合するようにしたものである。
【００１４】
本発明は、又、連続して測定するのが困難な形状を有する測定対象の真円度の公差を検出するための真円度測定機の公差検出装置であって、測定が可能な部分円周毎に一定な半径方向の測定基準位置Ｒｎと、検出ヘッドで検出されるスタイラスの変位量ｘ（ｉ）nの合計からなる測定データを、部分円周毎に測定して部分測定データとする手段と、各部分測定データの測定基準位置Ｒｎ間の差分を調整して、各部分測定データを一つのデータに結合する手段と、該結合したデータを用いて公差を計算する手段と、を備えたことを特徴とする真円度測定機の公差検出装置を提供するものである。
【発明の効果】
【００１５】
本発明によれば、分割して測定して求めるしかなかった、連続して測定するのが困難な形状を有する測定対象の真円度の公差を、１回の計算で容易に検出することが可能になる。
【００１６】
従って、ライン測定などで、複数の数値結果から全体形状の真円度の公差を推定する手間が省け、結果の確認の省力化が図れる。更に、結合した形状の真円度の幾何公差の判定が、ライン測定でも可能になり、自動測定のバリエーションが増える。
【図面の簡単な説明】
【００１７】
【図１】連続して測定するのが困難な形状を有する円筒の測定データの概要を示す図
【図２】同じく具体例を示す図
【図３】本発明に係る真円度測定装置の実施形態の概観を示す斜視図
【図４】同じくブロック構成図
【図５】本発明による結合処理の手順を示す流れ図
【図６】同じく複数の部分断面の円周データを一つの断面に結合するための設定画面の例を示す図
【図７】複数の部分断面の変位量を一つの断面の変位量に換算するときの処理を示す図
【図８】結合された円周データの例を示す図
【図９】結合処理の変形例を示す図
【図１０】結合処理の他の変形例を示す図
【発明を実施するための形態】
【００１８】
以下、図面を参照して、本発明の実施形態を詳細に説明する。
【００１９】
本発明に係る真円度測定機の実施形態の概観を図３に示す。また、この真円度測定機のブロック構成を図４に示す。本実施形態において、基台１１の上に設けられた回転テーブル１２上に測定対象２４が載置される。ＣＰＵからの駆動指令はモータ駆動回路３３Ａに入力され、モータ２２を回転させる。この駆動力はベルト２１Ａおよびプーリーにより回転テーブル１２の回転軸に伝達され、一定速度で回転テーブル１２を回転させる。その回転角度θはロータリエンコーダ２１で逐次検出され、デジタル信号の形でＣＰＵ３１へ入力される。一方、検出ヘッド２０の回転テーブル１２(測定対象２４）の半径方向（Ｒ軸方向）の変位検出信号は、Ａ／Ｄ変換器３５でデジタル信号に変換され、逐次ＣＰＵ３１へ入力される。検出ヘッド２０にはスタイラス２６が取り付けられていて、このスタイラス２６は検出ヘッド２０本体に対して常にある一定方向へばね等により変位され、かつ付勢されている。測定の際には、このスタイラス先端を測定対象２４に接触させ、前記ばねの付勢力に勝ってスタイラス２６を変位させ、このスタイラス２６の変位量を検出ヘッド２０本体内部の差動変圧器等により構成される変位検出器により検出する。通常、この変位検出器の分解能は非常に高い反面、測定可能範囲は±３００μｍと非常に狭くなっている。従って、この検出ヘッド２０の位置の調整には、ＣＰＵ３１により上下方向のＺ軸、半径方向のＲ軸各軸方向駆動を自動で制御するようにしている。すなわちＣＰＵ３１からのＺ軸方向の駆動指令はモータ駆動回路３３Ｂに入力され、Ｚ軸方向駆動装置２９で検出ヘッド２０をＺ軸方向へ移動させ、同様に、ＣＰＵ３１からのＲ軸方向の駆動指令はモータ駆動回路３３Ｃに入力され、Ｒ軸方向駆動装置２８で検出ヘッド２０をＲ軸方向へ移動させることが可能となっている。このＲ軸方向駆動装置２８の中にＲ軸方向の位置を検出するリニアエンコーダが配設されている。
【００２０】
リニアエンコーダからの変位検出信号は一旦Ａ／Ｄ変換器３５へ入力され、デジタル信号に変換されてからＣＰＵ３１へ入力される。また、ロータリエンコーダ２１からの回転角度θの検出信号は既にデジタル信号となっているので、そのままＣＰＵ３１へ入力される。これらのデジタル信号はペアで測定データとなり記憶回路３９に記憶され、適宜ＣＰＵ３１から呼び出されて最小自乗法、最小領域法等により真円度計算、同軸度計算等が行われ、その結果はディスプレイ４０に表示されたり、プリンタ４３に印字記録されたりする。どのような経路で検出ヘッド２０を移動させるか、測定データにどのような幾何計算を施すか等は、キーボード４１から作業者が指示するようになっている。また、必要に応じて外部への測定データあるいは幾何計算の結果を通信により出力することも可能である。
【００２１】
次に、図５を用いて、本発明による結合処理を詳細に説明する。
【００２２】
まず、ステップ１００で、設定された複数の部分測定データを抽出する。
【００２３】
次いでステップ１１０で、結合する断面の検出器の測定基準位置を先頭の部分測定データから設定する。
【００２４】
次いでステップ１２０で、図６に例示する如く、ディスプレイ４０に表示される設定画面を見ながら、個々の部分測定データの配列から、結合する断面データ配列の測定位置に対応するインデックスにコピーする。具体的には、図６の左側のリストには、断面に結合できる候補となる部分円周がリストアップされるので、例えば画面中央の「→」ボタンで右側のリストに断面を構成する円周として登録する。
【００２５】
この時、測定基準位置が測定データに与える差分を加味する。具体的には、図７に示す如く、各断面データのずれを修正し、図７の右側に示すように一つの断面とする。図７において、Ｒｎは、ｎ番目の断面の測定基準位置、Δｒn-1は、ｎ番目の断面の測定基準位置Ｒｎと先頭の１番目の測定基準位置Ｒ1の差である。
【００２６】
例えば１番目の断面の測定データがｘ（ｉ）1であったとすると、２番目の断面の測定データは、ｘ（ｉ）2＋Δｒ2-1とし、３番目の断面の測定データは、ｘ（ｉ）3＋Δｒ3-1とし、４番目の断面の測定データは、ｘ（ｉ）4＋Δｒ4-1とする。ここで、Δｒ2-1は、２番目の最初のデータが１番目の最後のデータと一致し、Δｒ3-1は、３番目の最初のデータが２番目の最後のデータと一致し、Δｒ4-1は、４番目の最初のデータが３番目の最後のデータと一致するように決定することができる。ここで各グループ間の区間Ａ、Ｂ、Ｃは、直線で結ぶことができる。
【００２７】
図５のステップ１２０終了後、ステップ１３０に進み、図７の右側のように結合された断面データで幾何公差を計算する。
【００２８】
次いでステップ１４０で、幾何公差の計算結果を、例えばディスプレイ４０上に数値や図面として表示して、処理を終了する。
【００２９】
結合された断面データの例を図８に示す。
【００３０】
このようにして、分割された円周を一つの断面として認識することで、円筒断面の幾何公差を一度に求めることができる。
【００３１】
なお、データを結合する方法は前記実施形態に限定されず、図９に例示するように、端部データの延長線が一致するようにしても良い。又、各グループの最初と最後のデータに大きな偶然誤差が載ってしまっていることもあるので、図１０に例示するように、各グループのデータの平均値を一致させるようにして、平均誤差レベルで合わせることもできる。
【００３２】
なお、測定対象は円周や円筒に限定されない。
【符号の説明】
【００３３】
１１…基台
１２…回転テーブル
２０…検出ヘッド
２１…ロータリエンコーダ
２２…モータ
２４…測定対象
２６…スタイラス
２８…Ｒ軸方向駆動装置
２９…Ｚ軸方向駆動装置
３１…ＣＰＵ
４０…ディスプレイ
４１…キーボード
【図１】
0005417222.tif 000002
【図２】
0005417222.tif 000003
【図３】
0005417222.tif 000004
【図４】
0005417222.tif 000005
【図５】
0005417222.tif 000006
【図７】
0005417222.tif 000007
【図８】
0005417222.tif 000008
【図９】
0005417222.tif 000009
【図１０】
0005417222.tif 000010
【図６】
0005417222.tif 000011